(57)【要約】      （修正有）【課題】狙った区間から確実に地下水を採取できるようにしたボーリング孔内水の採取器具を提供する。【解決手段】透明合成樹脂製の長尺中空筒体と、長尺中空筒体の上端開口に設けた上蓋体及び下端開口に設けた下蓋体と、上蓋体の外面に固定された長尺中空筒体内への逆流を防止するための流入防止弁４と、下蓋体の内面に固定された長尺中空筒体内からの逆流を防止するための流出防止弁５とから成る。ボーリング孔の合成樹脂パイプ１０内に下降→停止→引き上げの簡易動作で所定深度の地下水を逃がさず採取できるため、狙った区間から確実に地下水を採水し、地すべり発生機構の解明に有用なデータを提供することができる。【選択図】図３
0003186117.tif 000002
【実用新案登録請求の範囲】
【請求項１】
透明合成樹脂製の長尺中空筒体と、該長尺中空筒体の上端開口に設けた上蓋体及び下端開口に設けた下蓋体と、前記上蓋体の外面に固定された長尺中空筒体内への逆流を防止するための流入防止弁と、前記下蓋体の内面に固定された長尺中空筒体内からの逆流を防止するための流出防止弁とから成ることを特徴とするボーリング孔内水の採取器具。
【請求項２】
前記流入防止弁は、前記上蓋体の外面に形成された開口を塞ぐ円盤状のゴム製から成り、引き上げ時に、前記長尺中空筒体内への地下水の流入を防止するようになっていることを特徴とする請求項１記載のボーリング孔内水の採取器具。
【請求項３】
前記流出防止弁は、前記下蓋体の内面に形成された開口を塞ぐ円盤状のゴム製から成り、引き上げ時に、前記長尺中空筒体内からの地下水の流出を防止するようになっていることを特徴とする請求項１記載のボーリング孔内水の採取器具。
【考案の詳細な説明】
【技術分野】
【０００１】
本考案は、地下水の水質を調査するためのボーリング孔内水の採取器具に関するものである。
【背景技術】
【０００２】
従来、地下水の水質を知ることは、地すべり発生機構解明や対策工計画に重要である。地すべり地内では移動地塊が撹乱を受け、滞水層が複数存在したり裂罅（れっか）水が流入するなど、地下水の流れは複雑である。
地下水を採取する装置として種々のものがあるが、水中の所定位置の水を採取するものの一例として採水管を利用したボーリング孔内における定位置採水装置がある（特許文献１を参照）。
この公知技術は、採水管である水槽の上部に取水孔を設け、該取水孔に開閉弁を設けたもので、この開閉弁は電磁コイルで作動するものである。そして、所定水位の水を採取するには、ボーリング孔内の所定位置まで水槽を下降させ、その下降位置で電磁コイルに通電して開閉弁を開き、取水孔を開放してボーリング孔内の水を取水孔から水槽に取り入れ、採水後、電磁コイルへの通電を絶ち、開閉弁を閉じて取水孔を閉じ、水槽内に採取した水を封入するボーリング孔内における定位置採水装置である。
【０００３】
また、電気的手段を用いずに簡単な構造で、容易に任意の位置の地下水を採取でき、しかも、大掛かりな装置を必要とせずに異なる位置の水を混合させることなく連続して採取することが可能な地下水採水装置および採水方法が知られている（特許文献２を参照）。
この公知技術は、ワイヤーなどの索条に取り付けられた底蓋と、該底蓋が嵌装し底蓋の外径に等しい内径を有する採水管と、前記索条のガイド孔を有し、前記採水管の上部開口に装着する上蓋との組み合わせで構成し、分離状態の底蓋と採水管と上蓋とを、底蓋から先行させて地下水層内に沈下し、水中の所定位置で順次組み合わせて採水管内に所定位置の水を封入する地下水採水装置および採水方法である。
【０００４】
これらの公知技術は、前者が電気的手段により取水孔を開閉するものであるため、電気的故障が発生すると採水できなくなるおそれがあり、又後者が分離状態の底蓋と採水管と上蓋とを水中の所定位置で順次組み合わせるため、完全に組み合わせができない状態になるおそれがある。
本考案は、それらを解消したものであり、狙った区間から確実に地下水を採取できるようにしたボーリング孔内水の採水器具である。
【先行技術文献】
【特許文献】
【０００５】
【特許文献１】特公昭５５−４９１４号公報
【特許文献２】特開平１１−２２９７４８号公報
【考案の概要】
【考案が解決しようとする課題】
【０００６】
本考案は、狙った区間から確実に地下水を採取できるようにしたボーリング孔内水の採取器具を提供することを目的とする。
【課題を解決するための手段】
【０００７】
本考案のボーリング孔内水の採取器具は、透明合成樹脂製の長尺中空筒体と、該長尺中空筒体の上端開口に設けた上蓋体及び下端開口に設けた下蓋体と、前記上蓋体の外面に固定された長尺中空筒体内への逆流を防止するための流入防止弁と、前記下蓋体の内面に固定された長尺中空筒体内からの逆流を防止するための流出防止弁とから成るものである。
前記流入防止弁は、前記上蓋体の外面に形成された開口を塞ぐ円盤状のゴム製から成り、引き上げ時に、前記長尺中空筒体内への地下水の流入を防止するようになっている。
前記流出防止弁は、前記下蓋体の内面に形成された開口を塞ぐ円盤状のゴム製から成り、引き上げ時に、前記長尺中空筒体内からの地下水の流出を防止するようになっている。
【考案の効果】
【０００８】
本考案のボーリング孔内水の採取器具は、透明合成樹脂製の長尺中空筒体と、該長尺中空筒体の上端開口に設けた上蓋体及び下端開口に設けた下蓋体と、前記上蓋体の外面に固定された長尺中空筒体内への逆流を防止するための流入防止弁と、前記下蓋体の内面に固定された長尺中空筒体内からの逆流を防止するための流出防止弁とから成るため、狙った区間から確実に地下水を採取することが可能となる。
【図面の簡単な説明】
【０００９】
【図１】本考案のボーリング孔内水の採取器具の断面図である。
【図２】本考案のボーリング孔内水の採取器具の設置を示す説明図である。
【図３】本考案のボーリング孔内水の採取器具の使用状態を示す説明図である。
【考案を実施するための形態】
【００１０】
本考案のボーリング孔内水の採取器具の一実施例を添付図面に基づいて、以下に説明する。
図１の断面図に示すように、本考案のボーリング孔内水の採取器具は、透明合成樹脂製の長尺中空筒体１と、該長尺中空筒体１の上端開口に設けた上蓋体２及び下端開口に設けた下蓋体３と、前記上蓋体２の外面に固定された長尺中空筒体１内への逆流を防止するための流入防止弁４と、前記下蓋体３の内面に固定された長尺中空筒体１内からの逆流を防止するための流出防止弁５とから成る。
前記長尺中空筒体１は、ポリエチレン、ポリ塩化ビニル、アクリル、フッ素樹脂などの透明合成樹脂から成り、寸法は長さ１００ｃｍ、内径２ｃｍである。
前記上蓋体２は、前記長尺中空筒体の上部開口を閉塞するキャップ形状をなし、液密に接着剤等により固定される。
前記下蓋体３は、前記長尺中空筒体の下部開口を閉塞するキャップ形状をなし、液密に接着剤等により固定される。
前記流入防止弁４は、前記上蓋体２に形成された開口６を塞ぐために上蓋体２の外面にビス７で固定された円盤状のゴム製から成り、本考案のボーリング孔内水の採取器具を引き上げ時に、前記長尺中空筒体１内への地下水の流入を防止するようになっている。
前記流出防止弁５は、前記下蓋体３に形成された開口８を塞ぐために下蓋体３の内面にビス９で固定された円盤状のゴム製から成り、本考案のボーリング孔内水の採取器具を引き上げ時に、前記長尺中空筒体１内からの地下水の流出を防止するようになっている。
【００１１】
次に、本考案のボーリング孔内水の採取器具の操作動作を添付図面に基づいて、以下に説明する。
図２の説明図に示すように、ボーリング孔にストレーナ加工された合成樹脂パイプ１０、例えばＶＰ４０を装填し、地上から本考案のボーリング孔内水の採取器具をワイヤー１１で吊るしてＶＰ４０内を所定速度で下降させる。
地下水位の目的深度で停止させ、目的深度の地下水を採取する。
地下水の採取は、図３（ａ）〜（ｃ）の説明図の如く行われる。
図３（ａ）の下降時は、本考案のボーリング孔内水の採取器具が自重で下降すると、長尺中空筒体１の上下端の流入防止弁４および流出防止弁５が水流によって開放されるため、前記長尺中空筒体１内を地下水が通過する。
図３（ｂ）の停止時は、本考案のボーリング孔内水の採取器具が目的深度で停止すると、水圧によって前記長尺中空筒体１の上下端の流入防止弁４および流出防止弁５が閉じるため、前記長尺中空筒体１内に地下水が閉じ込められる。
図３（ｃ）の引き上げ時は、本考案のボーリング孔内水の採取器具が引き上げられると、前記長尺中空筒体１の上下端の流入防止弁４および流出防止弁５が水圧によって閉じられたまま地上へ引き上げられるため、所定深度の地下水を逃がさず採取できる。
【００１２】
このように、本考案のボーリング孔内水の採取器具は、ボーリング孔の合成樹脂パイプ１０内に下降→停止→引き上げの簡易動作で所定深度の地下水を逃がさず採取できるため、狙った区間から確実に地下水を採水し、地すべり発生機構の解明に有用なデータを提供することができる。
【符号の説明】
【００１３】
１  長尺中空筒体
２  上蓋体
３  下蓋体
４  流入防止弁
５  流出防止弁
６  開口
７  ビス
８  開口
９  ビス
１０  合成樹脂パイプ
１１  ワイヤー
【図１】
0003186117.tif 000003
【図２】
0003186117.tif 000004
【図３】
0003186117.tif 000005